(57)【要約】　　　（修正有）【課題】工作機械の主軸を高速回転させる時に主軸と工具ホルダの周辺で発生する風切り音を減少させる主軸と工具ホルダ位置決め構造の提供。【解決手段】主軸５端面に固設されたドライブキー４と前記主軸に嵌装される工具ホルダ１のドライブキー溝３との係合による位置決め構造において、前記工具ホルダのフランジ端面に前記ドライブキー溝が放射状に刻設され前記ドライブキー溝の溝壁面とフランジ部の外周面とが交差して形成する角部と、前記ドライブキー溝と係合する直方体状のドライブキーであって回転方向と直交する二側面と外側面とが交差して形成する角部とに緩斜面１ｃ、１ｄを設けて風切り音の発生を抑制する主軸と工具ホルダの位置決め構造。【選択図】　　　図４
2004142053.tif 000002
【特許請求の範囲】
【請求項１】
工作機械の主軸端面に設けられたドライブキーと、前記主軸に嵌装される工具ホルダのドライブキー溝との係合による位置決め構造であって、前記ドライブキー溝はそのフランジ部の外周面に軸線方向に沿って刻設され少なくとも回転方向と直交する溝壁面と前記フランジ部の外周面とが交差する角部に風切り音の発生を減少させる緩斜面が形成されていることを特徴とする主軸と工具ホルダの位置決め構造。
【請求項２】
工作機械の主軸端面に設けられたドライブキーと前記主軸に嵌装される工具ホルダのドライブキー溝との係合による位置決め構造であって、前記ドライブキーは直方体形状をなし前記ドライブキー溝と係合する時の外側面と回転方向と直交する側面とが交差する稜線部に風切り音の発生を減少させる緩斜面が形成されていることを特徴とする主軸と工具ホルダの位置決め構造。
【請求項３】
工作機械の主軸端面に設けられたドライブキーと前記主軸に嵌装される工具ホルダのドライブキー溝との係合による位置決め構造であって、請求項１に記載のドライブキー溝を刻設した工具ホルダと請求項２に記載のドライブキーを固設した主軸とを組み合わせてなる主軸と工具ホルダの位置決め構造。
【発明の詳細な説明】
【０００１】
【産業上の利用分野】
工作機械の主軸と工具ホルダの係合部における位置決め構造であって、詳しくは主軸端面に設けられたドライブキーと工具ホルダのドライブキー溝との係合に関する。
【０００２】
【従来の技術】
主軸を高速回転させると、回転が高くなるにつれて工具を装着した工具ホルダが嵌着された主軸周辺では振動や騒音が大きくなってくる。これらの原因の一つは、工具を含めた回転体のアンバランスであり他の一つは回転部の風切り音である。
【０００３】
前者の振動は回転体のアンバランスを解消することにより解決可能である。図５は、従来の慣用技術として使用されている主軸と工具ホルダの係合部断面図である。図５において、主軸１０１の前端にドライブキー溝１０１ａが等分割に刻設され、ドライブキー１０２が固定されている。
【０００４】
工具Ｔを装着した工具ホルダ１０３は主軸テーパ穴１０１ａに嵌着され、工具ホルダ１０３のフランジ部１０３ａの外周部分にドライブキー１０２と外周方向に隙間なく係合する切欠部１０３ｂが刻設され、主軸と工具との回転方向の位置決めを行うと共に主軸１０１の回転トルクを工具ホルダ１０３に確実に伝達するように構成されている。
【０００５】
【発明が解決しようとする課題】
従来技術で述べたように、主軸１０１に工具Ｔを取着する主たる構成の主軸１０１，ドライブキー１０２，工具ホルダ１０３の三要素については主軸の軸心に対し対称に配設されており、アンバランスにもとづく振動発生の余地はないと考えられる。しかしながら回転部に風切り面が形成されていると回転が高速になるにつれて風切り音は増大する。
【０００６】
図５において、主軸１０１のドライブキー溝１０１ｂの外周に形成される角部１０１ｃ，ドライブキー１０２の角部１０２ａおよび１０２ｂは風切り部であり、この風切り部で発生する風切り音は高速回転時には無視できないほど大きくなるという問題を有している。従って、主軸と一体に高速回転する部材は回転対称となる形状に設けることが望ましい。しかし、マシニングセンタ，グライディングセンタ，旋盤或いはこれらの複合加工機では風切り音がないような回転形状を構成するのは困難という問題を有している。
【０００７】
例えば、旋盤では回転体はチャック，面板，回転センタ等であり、グライディングセンタでは、砥石の把持部である工具ホルダのツーリング部と駆動部である主軸前部に相当する。また、マシニングセンタでは工具ホルダやドライブキー等の主軸前部が相当し、主軸の後部側にあって主軸と一体で回転する部分も発生源となり得るわけであり、これらの構成に起因する風切り音発生源の存在は無視できないという問題を有している。
【０００８】
特に、マシニングセンタの場合は自動工具交換（ＡＴＣ）できることが前提であり、工具の回転方向の位置決めと切削時の負荷トルクを主軸を介しモータが負担する必要があるため、工具ホルダ側にはドライブキー溝が刻設されており、主軸側にはドライブキーが主軸端面から前面側に突出して設けられる場合が多い。これらの部分は周速が速い部分であり、主軸の回転数３０００ｍ／ｍｉｎを越え始めると風切り音が顕著となり６５００ｍ／ｍｉｎでは作業環境が極めて悪化するという問題が生じていた。
こうした溝などに関連する風切り音対策に関する先行技術は見つかっていない。
【０００９】
本発明は従来技術の有するこのような問題に鑑みなされたものであり、その目的とするところは、直方体形状のドライブキーを主軸端面に取着する場合に、回転するドライブキーの外側を、主軸と工具ホルダの外周面から可及的突出しないように形成し、ドライブキーの外側のコーナ部分と工具ホルダの外周のコーナ部分において空気が滑らかに流れるようにした風切り音を発生しない緩斜面を軸方向に平行に形成して主軸高速回転時の風切り音発生を抑制する。
【００１０】
【課題を解決するための手段】
上記目的を達成するために請求項１の発明は、工作機械の主軸端面に設けられたドライブキーと、前記主軸に嵌装される工具ホルダのドライブキー溝との係合による位置決め構造であって、前記ドライブキー溝はそのフランジ部の外周面に軸線方向に沿って刻設され少なくとも回転方向と直交する溝壁面と前記フランジ部の外周面とが交差する角部に風切り音の発生を減少させる緩斜面が形成されているものである。
【００１１】
主軸が高速回転するときに、工具ホルダはフランジ外周部分に高速気流が発生している。フランジ部内周はおよそ円筒に形成され突出する部分はない。しかし、回転時周速が最も大きくなるフランジの外周部はドライブキー溝があり、このドライイブキー溝の外周角部から風切り音が発生する。そのため、工具ホルダのドライブキー溝を緩斜面すなわち緩やかな傾斜面で形成して風切り音発生を防止するものである。
【００１２】
請求項２の発明は、工作機械の主軸端面に設けられたドライブキーと前記主軸に嵌装される工具ホルダのドライブキー溝との係合による位置決め構造であって、前記ドライブキーは直方体形状をなし前記ドライブキー溝と係合する時の外側面と回転方向と直交する側面とが交差する稜線部に風切り音の発生を減少させる緩斜面が形成されているものである。
【００１３】
工具ホルダが嵌着された主軸が高速回転するときに、主軸の円筒外周面と主軸端面に固設されたドライブキーの外側に高速気流が発生する。直方体形状のドライブキーを主軸端面に設けた場合、中心から離れた外側の主軸軸心と平行な稜線部から風切り音が発生する。そのため、この角部を緩斜面で形成して風切り音発生を防止するものである。
【００１４】
請求項３の発明は、工作機械の主軸端面に設けられたドライブキーと前記主軸に嵌装される工具ホルダのドライブキー溝との係合による位置決め構造であって、請求項１に記載のドライブキー溝を刻設した工具ホルダと請求項２に記載のドライブキーを固設した主軸とを組み合わせてなるものである。
【００１５】
フランジ部のドライブキー溝の外周角部を風切り音発生を防ぐ緩斜面に形成した請求項１に記載する工具ホルダと、工具ホルダのドライブキー溝と係合したとき前記工具ホルダの角部に形成した緩斜面に対峙するように直方体形状の外側稜線部に風切り音発生を防ぐ緩斜面を形成した請求項２に記載するドライブキーを端面に取着した主軸とを組み合わせて構成し風切り音発生を防止するものである。
【００１６】
【発明の実施の形態】
以下、本発明の実施の態様を図面にもとづいて説明する。
図１は本発明の工具ホルダで、（ａ）は軸方向視図、（ｂ）はフランジ部視図、図２は本発明のドライブキーを取着した主軸前端部視図、図３は図２に示すドライブキーの詳細図で、（ａ）は上面図、（ｂ）は正面図、（ｃ）は右側面図である。図４は本発明に係る工具ホルダとドライブキー付主軸との組合せ図である。
【００１７】
図１（ａ）（ｂ）において、（ａ）はプルスタッド２の軸端から見た工具ホルダ１の軸方向視図である。本発明の工具ホルダ１において、ドライブキー溝３は主軸端面に取着された後述のドライブキー４に嵌着され主軸の回転を伝達すると共に工具自動交換装置（ＡＴＣ）との関係における基準位置の役割を負っている。ドライブキー溝３は、軸テーパ面１ｆに近いフランジ外周面１ａに工具ホルダ１の軸線方向に沿って軸心に対し点対称若しくは等分割に刻設され、回転方向と直交する溝壁面１ｂとフランジ部の外周面１ａとが交差する角部に緩斜面１ｃ，１ｄが形成されている。なお、回転方向と直交する溝壁面とフランジ部の外周面とが交差する角部には図１（ｂ）において、フランジ部のＶ溝と交差する角部１ｅを含むものである。
【００１８】
緩斜面１ｃは後述するドライブキー４の緩斜面４ａと対応して設けられるものであり、同程度の傾斜角にするのが望ましい。緩斜面１ｄの大きさはドライブキー４と関係なく決定すればよい。ドライブキー溝３が果たす機能を損なわない程度に緩斜面の角度θや大きさを定めればよい。緩斜面の角度θ１，θ２は５度乃至４０度の範囲であり２０度乃至３５度の範囲で適当である。緩斜面の切り込み後の深さｄはドライブキー４の形状寸法またはドライブキー溝３の形状寸法により決定されるべきである。
【００１９】
なお、図示していないがドライブキー溝３を工具ホルダ１の軸に直角なエンドミルで加工した場合に溝の上方に形成される稜線１ｅとの角部を１ｄに近い傾斜面に形成することにより、前記角部に緩斜面１ｃ，１ｄを形成させたときに得られる風切り音の発生を減少させる効果を一層高めることができる。
【００２０】
図２において、ドライブキー４は直方体形状であり主軸５の前側の端面５ａに刻設された溝５ｂで案内され螺設されている。ドライブキー溝３と係合するときのドライブキー４の主軸回転中心に対する外側面４ｂと回転方向と直交する二つの側面４ｃとが交差して形成する角部に風切り音の発生を減少させる平面４ａが形成されている。
【００２１】
図３において、ドライブキー溝３と係合する２個の側面４ｃ，ドライブキー４を主軸５に取着した時の外側面４ｂがそれぞれ図示されている。２個の側面４ｃと外側面４ｂとが交差して形成する角部に風切り音発生を防止する緩斜面４ａがそれぞれに形成されている。ドライブキー４に嵌合部４ｅを設けず単純な直方体形状に形成して使用することも可能である。
【００２２】
図４において、主軸５に端面に取着される緩斜面４ａが形成されたドライブキー４にこれまた緩斜面１ｃおよび１ｄがドライブキー溝１ｂに形成された工具ホルダ１が嵌装されている。主軸５の高速回転時に発生する風切り音の発生源は、回転する主軸５と工具ホルダ１の外周部であって、周速が大となる位置に存在する。円筒部材の外周面に沿って形成される空気の流線を切断したり乱流を発生させる鋭角部を生じないようにする必要がある。
【００２３】
そのため工具ホルダ１のドライブキー溝３周辺の鋭角部を傾斜面にするとともに、ドライブキー４とドライブキー溝３との接合する部分にも鋭角部が存在しないようにした工具ホルダ１とドライブキー付主軸５を組み合わせて使用することにより風切り音発生を更地に減少させることが可能となる。
なお、工具ホルダ１の回転駆動のためのみであれば、ドライブキー溝３の形状を小さくし、１ｄ，１ｅを縮小することにより風切り音の発生を更に減少させることも可能である。
【００２４】
ここで、風切り音抑制のために設ける緩斜面１ｃ，１ｄ，４ａは平面としているが、必ずしも厳密な平面形状に限定されるものではなく、曲面形状とすることも可能なのは言うまでもない。また、ドライブキー４と主軸５は個々に分離されたものとしているが、これらが一体構造であっても上記の実施形態と同様に適用可能である。
【００２５】
次に図４に示す本発明に係る工具ホルダ１を本発明に係るドライブキー４を取着した主軸５に装着して主軸部を構成した場合に、フランジ外周の周速を６２８０ｍ／ｍｉｎ、本機カバーの外側で騒音を実計測した結果は次の通りである。
（１）従来のＶ溝付フランジ　　　　　　　　　　　８３ｄＢ（Ａ）
（２）ドライブキー溝に緩斜面形成　　　　　　　　８０ｄＢ（Ａ）
（３）（２）に加えドライブキーに緩斜面形成　　　７８ｄＢ（Ａ）
上記実測結果から本発明が開示するように風切り音の発生源である工具ホルダのドライブキー溝とドライブキーに緩斜面を形成することにより風切り音を含む雑音のレベルを低下させることが可能であることが判明した。
なお、騒音計測法はＪＩＳ−Ｂ６００４，工作機械の騒音レベル測定方法による。
【００２６】
【発明の効果】
本発明の主軸と工具ホルダの位置決め構造は上述のとおり構成されているので次に記載する効果を奏する。
【００２７】
請求項１の発明は、工具ホルダのフランジ部に切欠いて設けたドライブキー溝のフランジ部の外周の角部を発生源とする主軸高速回転時の風切り音発生を抑制できる効果を有する。フランジ外周面の気流の流線を滑らかな曲線にすることにより作業者に不快感を与えない効果を有する。
【００２８】
請求項２の発明は、工具ホルダ位置決め用の直方体状のドライブキーを主軸端面に取着した時に、外側の面を構成する稜線のうち、主軸軸線に平行な稜線部を発生源とする主軸高速回転時の風切り音発生を抑制する効果を有する。ドライブキー外側面の気流の流線を滑らかな曲線にすることにより作業者に不快感を与えない効果を有する。
【００２９】
請求項３の発明は、主軸高速回転時の工具ホルダのドライブキー溝の形状と主軸のドライブキーの形状とに起因する風切り音を抑制する効果と作業環境の改善を可能とする効果を有する。
【図面の簡単な説明】
【図１】ドライブキー溝に緩斜面を形成した工具ホルダで、（ａ）は正面図、（ｂ）は側面図である。
【図２】緩斜面が形成されたドライブキーを取着した主軸の前端部視図である。
【図３】緩斜面を形成したドライブキーの詳細図で、（ａ）は上面図、（ｂ）は正面図、（ｃ）は右側面図である。
【図４】それぞれに緩斜面が形成された工具ホルダとドライブキー付主軸との組合せ図である。
【図５】従来の工具ホルダとドライブキー付主軸との組合せ図である。
【符号の説明】
１　工具ホルダ　　　　　２　プルスタッド
３　ドライブキー溝　　　４　ドライブキー
４ｄ　面取り　　　　　　５　主軸
１ｃ，１ｄ，４ａ　緩斜面
θ　傾斜角　　　　　　　ｄ　切込み後の深さ
【図１】
2004142053.tif 000003
【図２】
2004142053.tif 000004
【図３】
2004142053.tif 000005
【図４】
2004142053.tif 000006
【図５】
2004142053.tif 000007